(57)【要約】【課題】  最大礫径の比較的小さな土石流でも安定して堰き止め且つ土石流に対して十分な保持強度を確保する。【解決手段】  特定の幅をもった水路１２に設置される透過型砂防堰堤１４であって、格子状壁１６Ａ，１６Ｂとリングネット２６と柱状体３０とを備える。格子状壁１６Ａ，１６Ｂは、複数本の棒状部材１８，２０が縦横に交差するように組み合わされてなる。リングネット２６は、格子状壁１６Ａ，１６Ｂの格子の目よりも細かい目をもつもので、格子状壁１６Ａの最下部を残して前記格子の目を覆うように格子状壁１６Ａに取り付けられる。柱状体３０は、水路１２の底壁１２ａに立設されて、格子状壁１６Ａの最下部における格子の目に配置されている。【選択図】      図１
2005201019.tif 000002
【特許請求の範囲】
【請求項１】
特定の幅をもった水路に設置される透過型砂防堰堤であって、複数本の棒状部材が縦横に交差するように組み合わされた格子状壁が前記水路中に当該水路をその幅方向に横切るように立設され、かつ、この格子状壁の最下部を残してそれよりも上側の領域に、その格子の目の最大寸法よりも小さな間隙を形成する間隙形成部材が当該格子の目を覆うように取り付けられるとともに、前記格子状壁の最下部における格子の目には礫捕捉用部材がその隣の前記棒状部材との間に間隙を残しつつ設けられていることを特徴とする透過型砂防堰堤。
【請求項２】
前記礫捕捉用部材は、前記格子状壁の縦棒状部材との間に間隙を残し且つ上端部が前記間隙形成部材の下端部若しくはその近傍に位置する柱状体により構成されている請求項１に記載の透過型砂防堰堤。
【請求項３】
前記柱状体は、下端部が水路の底壁に埋め込まれていることを特徴とする請求項２に記載の透過型砂防堰堤。
【請求項４】
前記礫捕捉用部材は、前記水路の流れ方向に見て前記間隙形成部材との間に間隙を残した形態に設けられていることを特徴とする請求項２又は３に記載の透過型砂防堰堤。
【請求項５】
前記礫捕捉用部材は、前記水路の流れ方向に見て前記間隙形成部材の下端部と重なる部位を有する形態に設けられていることを特徴とする請求項２又は３に記載の透過型砂防堰堤。
【請求項６】
前記格子状壁は、前記水路の流れ方向に並ぶ複数列にわたって設置され、
前記礫捕捉用部材は、最上流側に位置する前記格子状壁の最下部に設けられていることを特徴とする請求項１から３の何れか１項に記載の透過型砂防堰堤。
【請求項７】
前記柱状体は、その下端部が上端部よりも幅広に形成されていることを特徴とする請求項２又は３に記載の透過型砂防堰堤。
【請求項８】
前記間隙形成部材は、リングネットにより構成され、
前記柱状体には、前記リングネットを引っ掛けるための横方向に突出する突出部が設けられていることを特徴とする請求項２又は３に記載の透過型砂防堰堤。
【請求項９】
前記間隙形成部材は、前記格子状壁の上流側の面に架設されていることを特徴とする請求項１から８の何れか1項に記載の透過型砂防堰堤。
【請求項１０】
前記間隙形成部材は、リングネット、エキスパンドメタル、互いに並設された複数のＨ型鋼又は多数の貫通孔が形成された鋼板により構成されていることを特徴とする請求項１から９の何れか１項に記載の透過型砂防堰堤。
【発明の詳細な説明】
【技術分野】
【０００１】
本発明は、山岳地の渓流・沢等において急激に流出する土砂を捕捉するための透過型砂防堰堤に関するものである。
【背景技術】
【０００２】
一般に、急激な土砂の流出による山間地の荒廃や滞砂による貯水機能の低下等を防止する手段として、砂防堰堤が数多く設置されている。この砂防堰堤は、梅雨、台風等の集中豪雨で発生する土石流の被害から民家・施設・道路等を守るためにもその設置が望まれているところである。
【０００３】
従来、このような砂防堰堤としてはコンクリート製のものが多用されていたが、かかる砂防堰堤は小さな礫や泥水まで堰き止めてしまうため、急速に土砂が堆積して砂防堰堤としての機能を短期間のうちに失うという欠点がある。そこで近年は、通常状態で流れる小さな礫や泥水は下流に通過させる一方、土石流発生時にはこれに先行して流下する巨礫や流木を捕獲して下流側での被害を食い止める透過型砂防堰堤の開発が進められている。
【０００４】
例えば、特許文献１には、鋼管からなる縦方向の棒状部材と横方向の棒状部材を組み合わせて格子状壁を構成し、この格子状壁を水路中に立設することにより、土石流発生時には前記格子の格子目よりも大きな巨礫を捕獲する一方、通常使用時には前記格子目よりも小さな中小礫や泥水のみを透過するものが開示されている。
【０００５】
また、特許文献２には、多数のリング部材を縦横につなぎ合わせたリングネットで水路を塞ぎ、当該リングネットの網目よりも小さな粒径の礫や泥水のみを透過してそれ以外の礫を捕獲するようにしたものが開示されている。
【特許文献１】特開平７−８２７２５号公報
【特許文献２】特開２００３−３４４９号公報
【発明の開示】
【発明が解決しようとする課題】
【０００６】
特許文献１記載の砂防堰堤において、礫の小さい土石流も捕獲し得るようにするためには、その格子目を縮小する必要がある。特に近年、対象とする最大礫径の定義に関し、従来は大きいものから５％の径のものとしていたのを、より小さい礫で定義することにより、捕捉性能を向上しようとするのが趨勢となっており、小さい礫に対応できる透過型砂防堰堤の実現が望まれている。
【０００７】
しかしながら、単純に格子目を縮小したのでは小さい礫を捕獲できるものの、土石流の発生時において土石流が堰堤に到来する前にこれに先行する泥流によって堰上げが発生してしまい、その湛水によって、土石流先端に集まっている巨礫をばらしてしまうために、これらを捕獲できなくなるおそれがある。
【０００８】
一方、特許文献２記載のリングネットを用いた砂防堰堤では、透過率を著しく低下させることなく比較的小さな礫も捕獲でできる利点があるが、その取付部を構成する主策やアンカーに荷重が集中するため、リングネットのみによる砂防堰堤では、土石流の荷重が大きい場合や渓流の規模が大きい場合には捕獲した礫等を保持する強度を十分に確保するのが困難となるおそれがある。
【０００９】
そこで、格子状壁の格子目を所定の大きさに確保しつつ、この格子目をリングネットで塞ぐこととすれば、砂防堰堤全体の透過率が維持されて堰上げの発生を防止でき且つ最大礫径の小さな土石流にも適応が可能となるが、この場合においてリングネットを格子状壁の全体に張り巡らす構成とすると、土石流の発生時に捕獲した礫等を保持する強度を十分に確保するのが困難となる。一方、リングネットを格子状壁の最下部を残して架設することとすると、土石流先端に集まって流下してくる礫、流木等を安定して捕獲できないという問題が生ずる虞がある。
【００１０】
本発明は、このような事情に鑑み創案されたものであり、その目的は、透過型砂防堰堤において、最大礫径の比較的小さな土石流でも安定して堰き止め且つ土石流に対して十分な保持強度を確保することにある。
【課題を解決するための手段】
【００１１】
前記課題を解決するための手段として、本発明は、特定の幅をもった水路に設置される透過型砂防堰堤を前提とし、複数本の棒状部材が縦横に交差するように組み合わされた格子状壁が前記水路中に当該水路をその幅方向に横切るように立設され、かつ、この格子状壁の最下部を残してそれよりも上側の領域に、その格子の目の最大寸法よりも小さな間隙を形成する間隙形成部材が当該格子の目を覆うように取り付けられるとともに、前記格子状壁の最下部における格子の目には礫捕捉用部材がその隣の前記棒状部材との間に間隙を残しつつ設けられている。
【００１２】
この透過型砂防堰堤では、土石流が発生した場合には、格子状壁の最下部に設けられた礫捕捉用部材が土石流の先端に集まって流下してくる礫、流木等を捕捉する。すなわち、土石流が発生したときには、この土石流の先端に大きな礫等が集まってくる性質があるので、格子状壁の最下部に礫捕捉用部材を設けることにより比較的径の大きな礫等を捕獲できる。このとき、礫捕捉用部材が、格子状壁を構成する棒状部材との間に間隙を残しつつ設けられることで、格子状壁の最下部では、それよりも上側の格子の目より間隙が小さくなっているので、格子状壁のみでは捕捉できないような比較的径の小さな礫を捕捉することができる。また、格子状壁及び礫捕捉用部材によって土石流を安定して堰き止めることができる。そして、後続のさらに径の小さな礫等については、間隙形成部材によって捕捉することができる。また、この砂防堰堤の施工時において、格子状壁の格子目をある程度粗くすることができるので、施工作業が煩雑になるのを抑制することができる。さらに格子状壁の最下部にのみ礫捕捉用部材を設ける構成であるので、格子状壁の上部において比較的目を粗くすることで透過率を確保することができ、堰堤全体としての透過率が低減するのを抑制できる。
【００１３】
前記礫捕捉用部材は、前記格子状壁の縦棒状部材との間に間隙を残し且つ上端部が前記間隙形成部材の下端部若しくはその近傍に位置する柱状体により構成するのが好ましい。このような構成とすることで、土石流先端に集まって流下する比較的径の大きな礫を礫捕捉用部材によって確実に捕獲する一方、後続の比較的小さな礫を間隙形成部材によって確実に捕獲することができる。
【００１４】
そして、この柱状体は、下端部が水路の底壁に埋め込まれた構成とすることができる。このような構成とすると、礫捕捉用部材の支持剛性を高めることができ、土石流の発生時に礫や流木をより安定して捕捉できるようになる。
【００１５】
前記礫捕捉用部材は、前記水路の流れ方向に見て前記間隙形成部材との間に間隙を残した形態に設けるようにしてもよく、また前記礫捕捉用部材は、前記水路の流れ方向に見て前記間隙形成部材の下端部と重なる部位を有する形態に設けるようにしてもよい。この場合、礫捕捉用部材と間隙形成部材との間に間隙を形成することで、格子状壁全体としての透過率が低下するのを抑制することができる。一方、流れ方向に見て礫捕捉用部材と間隙形成部材とが重なる部位が存する構成としたときには、間隙形成部材よりも高強度の礫捕捉用部材により礫等から受ける荷重を支持することができるので、間隙形成部材による礫等の保持剛性を向上することができる。
【００１６】
前記格子状壁は、前記水路の流れ方向に並ぶ複数列にわたって設置される場合には、前記礫捕捉用部材は、最上流側に位置する前記格子状壁の最下部に設けられるのが好ましい。
【００１７】
前記柱状体は、その下端部が上端部よりも幅広に形成される構成としてもよい。このような構成とすれば、下端部が幅広に形成されることで礫捕捉用部材の強度を十分に確保することができ、また上端部において格子状壁との間隙幅が広くなるために、上側ほど透過優先の構造とすることができる。
【００１８】
前記間隙形成部材は、リングネットにより構成され、前記柱状体には、前記リングネットを引っ掛けるための横方向に突出する突出部が設けられている構成としてもよい。このような構成とすれば、礫等から受ける衝撃をリングネットによって吸収することができるとともに、礫等による衝撃を受けてもリングネットが突出部に引っ掛かることによりめくれあがってしまうのを防止することができ、良好な捕獲性能を発揮することができる。
【００１９】
前記間隙形成部材は、前記格子状壁の上流側の面に架設されている構成とするのが好ましい。このように間隙形成部材を格子状壁の上流側の面に設ける構成とすれば、土石流から受ける荷重を格子状壁側に有効に分散させることができるので、間隙形成部材の支持強度を容易に確保することができる。
【００２０】
また、前記間隙形成部材は、リングネット、エキスパンドメタル、互いに並設された複数のＨ型鋼又は多数の貫通孔が形成された鋼板により構成することができる。間隙形成部材をこれらのもので構成することで、前記作用効果を有効に発揮させることができる。
【発明の効果】
【００２１】
以上説明したように、本発明によれば、格子状壁の最下部を残して間隙形成部材を取り付けると共に礫捕捉用部材を格子状壁との間に間隙を残しつつ設けるようにしているので、格子状壁の格子目は粗くして十分な透過率を確保しながら、格子状壁のみでは捕獲できない程度の比較的最大礫径の小さな土石流を安定して堰き止めることができるとともに、土石流に対して十分な保持強度を確保することができる。
【発明を実施するための最良の形態】
【００２２】
本発明の好ましい実施の形態を図面に基づいて説明する。
【００２３】
図１〜図４において、非越流部１０の所定箇所に特定の幅をもった水路１２が形成されており、この水路１２中に透過型砂防堰堤１４が設置されている。
【００２４】
この透過型砂防堰堤１４は、上流側格子状壁１６Ａ及び下流側格子状壁１６Ｂを備え、これらの格子状壁１６Ａ，１６Ｂは水路１２の流れ方向（図３及び図４では左右方向）に並んで２列に立設されている。
【００２５】
各格子状壁１６Ａ，１６Ｂは、図２に示すように、複数本の縦棒状部材１８と複数本の横棒状部材２０とが格子状に組み合わされたものであって、各縦棒状部材１８が水路１２の幅方向に並ぶ複数の位置に適宜間隔をおいて立設され、これら縦棒状部材１８同士の間に掛け渡されるように横棒状部材２０が上下複数段にわたって配列されている。
【００２６】
また、この透過型砂防堰堤１４は、補強材として、上流側格子状壁１６Ａと下流側格子状壁１６Ｂとを前後方向に連結する棒状の連結材２２や、下流側格子状壁１６Ｂをさらにその下流側からサポートする棒状の斜材２４等を具備している。
【００２７】
さらに、この透過型砂防堰堤１４では、両格子状壁１６Ａ，１６Ｂのうちの上流側格子状壁１６Ａに間隙形成部材としてのリングネット２６が被着されている。このリングネット２６は、前記特許文献２にも示されるように、環状体２８同士を縦横につなぎ合わされて構成されたもので、各環状体２８は例えば高強度の硬鋼線を複数回リング状に巻回して周方向に並ぶ複数の箇所で結束することにより形成が可能であり、その環状体２８の形成の際に隣接する各環状体２８同士をつなぎ合わせることにより所望の全体面積及び全体形状をもつリングネット２６を製造することが可能である。
【００２８】
ここで、前記各環状体２８は格子状壁１６Ａ，１６Ｂにおいて形成される格子の目よりも細かい目を有している。従って、リングネット２６のない砂防堰堤（例えば前記特許文献１に記載される砂防堰堤）に比べてより小さな径の礫を捕獲することが可能になっている。これらの目の大きさの比率は、要求される捕獲性能に応じて適宜設定すればよい。一般的な目安として、前記格子状壁１６Ａ，１６Ｂの棒状部材１８，２０に鋼管を用いる場合には、当該鋼管として直径２００ｍｍ以上のもの（好ましくは５００ｍｍ程度のもの）を用いることにより十分な強度を確保でき、当該直径よりも格子目を大きくすることによって十分な透過率も確保できる。この場合、リングネット２６の環状体２８の直径としては１００ｍｍ〜５００ｍｍ程度が好適である。
【００２９】
リングネット２６の具体的な取付構造は、特に問わないが、図１〜図４に示す例では、リングネット２６の外周部を構成する環状体２８Ａを縦棒状部材１８及び横棒状部材２０がそれぞれ貫通する形態でリングネット２６が取り付けられており、特別な取付具が不要な構造となっている。
【００３０】
リングネット２６を配設する領域は、格子状壁１６Ａの最下部に間隙１７を残してそれよりも上側の領域とされている。この間隙１７の高さ寸法は、堰止めの対象となる土石流等の特性（特に最大礫径）等に応じて適宜設定すればよいが、一般には前記環状体２８の直径よりも大きくて当該直径の２倍以下の寸法に設定することが好ましい。このような範囲内で適宜間隙１７を残すことにより、通常使用時における透過率と土石流発生時における礫捕獲性能とのバランスをより良好に保つことが可能になる。
【００３１】
格子状壁１６Ａ（１６Ｂ）に対してリングネット２６を設ける面は、上流側の面、下流側の面のいずれでもよいが、図示のように上流側の面に設けられていれば、土石流からリングネット２６が受ける荷重を格子状壁１６Ａ（１６Ｂ）側に有効に分散して支持することができ、十分な支持強度をより容易に確保することが可能になる。また、上流側、下流側の両面にリングネット２６を設けるようにしてもよい。
【００３２】
上流側格子状壁１６Ａの最下部における各格子の目には、礫捕獲用部材としての柱状体３０がそれぞれ設けられている。各柱状体３０は、上流側格子状壁１６Ａの最下部を構成する互いに隣り合う縦棒状部材１８間に配置された状態で水路１２の底壁１２ａに立設されており、これらは互いに水路１２の幅方向に並んでいる。つまり、上流側格子状壁１６Ａの最下部における縦棒状部材１８間に柱状体３０が配設されることで、格子状壁１６Ａの最下部の縦棒状部材１８，１８間の間隙幅が、それよりも上側の領域における縦棒状部材１８，１８間の間隙幅よりも狭く形成されている。これにより、格子状壁１６Ａのみでは捕捉できない程度の大きさの礫等を捕捉可能となっている。
【００３３】
ここで、各柱状体３０の高さは、堰き止め対象となる土石流の最大礫径の２倍以下とすることが好ましく、また柱状体３０とこの隣の縦棒状部材１８との間隙幅は最大礫径と同程度に設定することが好ましい。尚、さらに小さな礫に対応する場合には柱状体３０の高さ及び前記間隙幅を適宜変更することも可能である。
【００３４】
各柱状体３０は、縦棒状部材１８と同等の径を有する鋼管により構成されるものであり、図２に示すように、その下端部が水路１２のコンクリート製底壁１２ａに埋め込まれており、水路１２の底壁１２ａから縦方向に延びるように立設されている。そして、各柱状体３０は、その上端部が横棒状部材２０に連結されていて、各柱状体３０は上端部及び下端部が固定された状態に設置されている。このことで、各柱状体３０は支持剛性が非常に高いものとなっている。
【００３５】
本透過型砂防堰堤１４では、土石流が発生した場合には、上流側格子状壁１６Ａの最下部における格子の目に設けられた柱状体３０が土石流の先端に集まって流下してくる礫等を捕捉する。このとき、柱状体３０が、上流側格子状壁１６Ａを構成する縦棒状部材１８との間に間隙を残しつつ設けられることで、格子状壁１６Ａの最下部では、それよりも上側の格子の目より間隙が小さくなっている。また、図５に示す柱状体の設けられない比較例と比較し、最下部における格子目の間隙幅を小さくできている。これにより、上流側格子状壁１６Ａのみでは捕捉できないような比較的径の小さな礫を捕捉することができる。また、上流側格子状壁１６Ａ及び柱状体３０によって土石流を安定して堰き止めることができる。そして、後続のさらに径の小さな礫等については、リングネット２６によって捕捉することができる。また、この砂防堰堤の施工時において、格子状壁１６Ａ，１６Ｂの格子目をある程度粗くすることができるので、施工作業が煩雑になるのを抑制することができる。さらに、格子状壁１６Ａの最下部にのみ柱状体３０を設ける構成であるので、格子状壁１６Ａの上部において格子の目を比較的粗くすることで透過率を確保することができ、堰堤全体としての透過率が低減するのを抑制できる。また、間隙形成部材としてリングネット２６を用いるようにしているので、このことでも透過率が低減するのを抑制できている。
【００３６】
したがって、本透過型砂防堰堤１４によれば、格子状壁１６Ａ，１６Ｂの格子目は粗くして十分な透過率（例えば５０％）を確保しながら、格子状壁１６Ａ，１６Ｂのみでは捕獲できない程度の比較的最大礫径の小さな土石流を安定して堰き止めることができるとともに、土石流に対して十分な保持強度を確保することができる。
【００３７】
ここで、上流側格子状壁１６Ａは、図６に示すように、その最下部に設けられている横棒状部材２０を省略する構成とし、柱状体３０をその上端部が格子状壁１６Ａに連結されない形態に構成することも可能である。このような構成とすると、格子状壁１６Ａ及び柱状体３０が周囲の温度変化により熱膨張又は熱収縮したとしても横棒状部材２０と柱状体３０とが接合されていないので、これらの部材１８，２０，３０を異なる材料で構成することが可能となる。これにより、より最適な強度設計をすることが可能となる。
【００３８】
このとき、柱状体３０が、その上端部において水路１２の流れ方向に見てリングネット２６と重なる部位を有するような高さに形成される構成とすれば、リングネット２６によって透過率を確保しつつ、礫等から受ける荷重を柱状体３０によって支持できるようになり、礫等の保持剛性を向上することができる。
【００３９】
この場合において、リングネット２６の下端部を、図７に示すようにワイヤ３２で柱状体３０及び縦棒状部材１８に連結する構成とすることができる。具体的に、柱状体３０の周面には環状部を有する取付部材（図示省略）が固定され、また縦棒状部材１８の周面に突起状の取付部材（図示省略）が固定されている。そして、柱状体３０に固定された取付部材の環状部と前記リングネット２６の下端部を構成する所定の環状体２８とにワイヤ３２が挿通され、このワイヤ３２の端部が折り曲げられて環状に形成されるとともに、このワイヤ３２の端部を縦棒状部材１８の取付部材に引っ掛けることにより、リングネット２６の下端部がワイヤ３２で柱状体３０及び縦棒状部材１８に連結することができる。このようにリングネット２６の下端部をワイヤ３２で柱状体３０及び縦棒状部材１８に連結することにより、リングネット２６が礫等の衝撃を受けてめくれ上がるのを確実に防止することができ、このリングネット２６による礫等の捕獲を確実なものとすることができる。なお、図６及び図７では、リングネット２６は図示省略した取付具によって縦棒状部材１８及び横棒状部材２０に取り付けられている。
【００４０】
リングネット２６をワイヤ３２で柱状体３０等に連結するのに代え、図８に示すように、柱状体３０の上端部に突出部３４を設け、この突出部３４にリングネット２６を引っ掛ける構成とすることも可能である。この突出部３４は、柱状体３０の上端部から水路１２の幅方向で且つ横方向に縦棒状部材１８に向かって突出しており、その先端部と縦棒状部材１８との間に僅かな間隙が形成されている。そして、この間隙を利用してリングネット２６の環状体２８を突出部３４に引っ掛けることにより、リングネット２６の下端部を柱状体３０の突出部３４に連結することができる。このような構成とすることにより、礫等から受ける衝撃をリングネット２６によって吸収することができるとともに、礫等による衝撃を受けてもリングネット２６が突出部３４に引っ掛かることによりめくれあがってしまうのを防止することができ、良好な捕獲性能を発揮することができる。尚、突出部３４は、柱状体３０の上端部に設ける構成に限られるものではなく、要はリングネット２６を引っ掛けることができればよい。
【００４１】
柱状体３０は、図９に示すように、その下端部が上端部よりも幅広に形成されている構成としてもよい。この柱状体３０の下端部は水路１２の底壁１２ａに埋め込まれており、柱状体３０は、この下端部から上方に向かうほど次第に細径となる構成とされている。そして、柱状体３０の上端部は縦棒状部材１８と同等の径に構成されている。この図例の上流側格子状壁１６Ａでは水路１２の幅方向中央に位置する縦棒状部材１８が最下部を除いて設けられており、この縦棒状部材１８の下端部に柱状体３０の上端部が連結されている。このように柱状体３０の下端部が幅広に形成されることで柱状体３０の強度を十分に確保することができ、また上端部において格子状壁１６Ａとの間隙幅が広くなるために、上側ほど透過優先の構造とすることができる。
【００４２】
本実施形態では、礫捕捉用部材として水路１２の底壁１２ａに立設された柱状体３０により構成された例を示したが、礫捕捉用部材はこれに限られるものではなく、例えば横方向に延びる棒状体（図示省略）により構成してもよい。この場合において、棒状体はその両端で縦棒状部材１８に固定する構成としてもよく、あるいは水路１２の側壁に固定する構成としてもよい。
【００４３】
また、本実施形態において、間隙形成部材をリングネット２６により構成したものを示しているが、この構成に限られるものではない。間隙形成部材は、例えば図１０及び図１１に示すように互いに並設された複数のＨ型鋼４１により構成してもよく、また図１２に示すようにエキスパンドメタル４３により構成してもよく、さらにまた図１３に示すように多数の貫通孔４５ａが形成された鋼板４５により構成してもよい。
【００４４】
この場合において、Ｈ型鋼４１は前記リングネット２６と同等の強度を有するものを使用すればよく、このＨ型鋼４１を水平配置するとともにこれらを上下方向に多数並べて上流側格子状壁１６Ａに固定するようにすればよい。このとき、Ｈ型鋼４１は格子状壁１６Ａの上流側面に取り付ける構成とするのが好ましい。そして、これらＨ型鋼４１同士の間隔は、所定（例えば５０％以上）の透過率を得られるように調整することができる。このとき、最下端に位置するＨ型鋼４１が上流側から見て柱状体３０の上端部と重なる部位を有する形態に構成すれば（図１０）、Ｈ型鋼４１よりも高強度の柱状体３０により礫等から受ける荷重を支持することができるので、Ｈ型鋼４１による礫等の保持剛性を向上することができる。一方、上流側から見てＨ型鋼４１と柱状体３０の上端部との間に間隙を形成する構成とすれば（図１１）、格子状壁１６Ａ全体としての透過率が低下するのを抑制することができる。また、これらＨ型鋼４１を格子状壁１６Ａの上流側の面に架設する構成とすれば、土石流から受ける荷重を格子状壁１６Ａに有効に分散させることができるので、Ｈ型鋼４１の支持強度を容易に確保することができる。
【００４５】
一方、エキスパンドメタル４３（図１２）を用いる場合には、互いに所定の間隔を置いて並設される複数枚のエキスパンドメタル４３により間隙形成部材を構成してもよく、或いは１枚のエキスパンドメタル４３により間隙形成部材を構成してもよい。またエキスパンドメタル４３を柱状体３０に連結した構成としてもよく、或いは連結しない構成としてもよい。また、鋼板４５（図１３）を用いる場合には、互いに所定の間隔を置いて並設される複数枚の鋼板４５により間隙形成部材を構成してもよく、或いは１枚の鋼板４５により間隙形成部材を構成してもよい。このとき、鋼板４５同士の間隙又は貫通孔４５ａにより透過率を調整すればよい。また、これらエキスパンドメタル４３又は鋼板４５を格子状壁１６Ａの上流側の面に架設する構成とすれば、土石流から受ける荷重を格子状壁１６Ａに有効に分散させることができるので、エキスパンドメタル４３又は鋼板４５の支持強度を容易に確保することができる。
【図面の簡単な説明】
【００４６】
【図１】上流側格子状壁にリングネットが取付けられた本発明の実施形態に係る透過型砂防堰堤の斜視図である。
【図２】図１に示す透過型砂防堰堤を上流側から見た正面図である。
【図３】図１に示す透過型砂防堰堤の側面図である。
【図４】図１に示す透過型砂防堰堤の平面図である。
【図５】本発明の比較例に係る透過型砂防堰堤の正面図である。
【図６】柱状体が横棒状部材に連結されていない形態の透過型砂防堰堤を上流側から見た正面図である。
【図７】リングネットをワイヤで柱状体及び縦棒状部材に連結した透過型砂防堰堤を上流側から見た正面図である。
【図８】柱状体の上端部に突出部が設けられている透過型砂防堰堤を上流側から見た正面図である。
【図９】柱状体の下端部が幅広に構成されている透過型砂防堰堤を上流側から見た正面図である。
【図１０】間隙形成部材がＨ型鋼により構成され、このＨ型鋼が上流側から見て柱状体と重なる部位を有する透過型砂防堰堤の正面図である。
【図１１】間隙形成部材がＨ型鋼により構成され、上流側から見てＨ型鋼と柱状体の上端部との間に間隙が形成されている透過型砂防堰堤の正面図である。
【図１２】間隙形成部材がエキスパンドメタルにより構成されている透過型砂防堰堤を上流側から見た正面図である。
【図１３】間隙形成部材が貫通孔を有する鋼板により構成されている透過型砂防堰堤を上流側から見た正面図である。
【符号の説明】
【００４７】
１０  ダム
１２  水路
１２ａ  底壁
１４  透過型砂防堰堤
１６Ａ  上流側格子状壁
１６Ｂ  下流側格子状壁
１８  縦棒状部材
２０  横棒状部材
２６  リングネット（間隙形成部材）
２８  環状体
３０  柱状体（礫捕捉用部材）
３２  ワイヤ
３４  突出部
４１  Ｈ型鋼（間隙形成部材）
４３  エキスパンドメタル（間隙形成部材）
４５  鋼板（間隙形成部材）
４５ａ  貫通孔
【図１】
2005201019.tif 000003
【図２】
2005201019.tif 000004
【図３】
2005201019.tif 000005
【図４】
2005201019.tif 000006
【図５】
2005201019.tif 000007
【図６】
2005201019.tif 000008
【図７】
2005201019.tif 000009
【図８】
2005201019.tif 000010
【図９】
2005201019.tif 000011
【図１０】
2005201019.tif 000012
【図１１】
2005201019.tif 000013
【図１２】
2005201019.tif 000014
【図１３】
2005201019.tif 000015